【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
液体消費装置に供給される液体を収容する液体収容容器であって、
前記液体消費装置は圧力調整ポンプを備え、
前記液体収容容器は、
前記液体を収容する液体収容室と、
前記液体収容室に連通し前記液体を収容する第１空間と、
前記圧力調整ポンプに接続され、可撓性部材から形成される第２空間と、
を備え、
前記第２空間の容積が前記圧力調整ポンプにより増大すると、前記第１空間
内の前記液体は前記液体収容室へ流出する、
ことを特徴とする液体収容容器。
【請求項２】
前記液体収容容器は、複数の前記第２空間を備える、
ことを特徴とする請求項１に記載の液体収容容器。
【請求項３】
前記液体収容容器は、複数の壁部から形成され、前記複数の壁部のうち一の
壁部側に複数の前記第２空間を備える、
ことを特徴とする請求項１又は２に記載の液体収容容器。
【請求項４】
前記液体収容室と前記第１空間は接続口を介して連通し、
前記接続口は前記液体収容容器の底部壁側に形成されている、
ことを特徴とする請求項１乃至３のいずれか一項に記載の液体収容容器。
【請求項５】
前記液体収容室と前記第１空間は複数の接続口を介して連通する、
ことを特徴とする請求項１乃至３のいずれか一項に記載の液体収容容器。
【請求項６】
前記液体消費装置は、
前記液体を噴射するヘッドと、
前記ヘッドへ前記液体を供給するサブタンクと、
を備え、
前記液体収容容器は前記サブタンクに接続される、
ことを特徴とする請求項１乃至５のいずれか一項に記載の液体収容容器。
【請求項７】
前記液体収容室には撹拌部材が移動可能に支持されており、
前記液体収容室と前記第１空間は接続口を介して連通しており、
前記撹拌部材は、前記接続口に対向しない位置に配置されている、
ことを特徴とする請求項１乃至６のいずれか一項に記載の液体収容容器。
【請求項８】
前記複数の接続口は一対の接続口であり、
一の接続口には、前記液体収容室から前記第１空間への前記液体の流入のみ
を許容する弁が設けられており、
他の接続口には、前記第１空間から前記液体収容室への前記液体の流入のみ
を許容する弁が設けられている、 
ことを特徴とする請求項５乃至７に記載の液体収容容器。
【請求項９】
前記第１空間を形成する壁部は前記液体収容室の底壁部に対して傾斜して
いる、
請求項５乃至８に記載の液体収容容器。
【手続補正２】
【補正対象書類名】明細書
【補正対象項目名】発明の名称
【補正方法】変更
【補正の内容】
【発明の名称】液体収容容器
【手続補正３】
【補正対象書類名】明細書
【補正対象項目名】００１０
【補正方法】変更
【補正の内容】
【００１０】
本発明の液体収容容器は、液体消費装置に供給される液体を収容する液体収容容器であって、液体を収容する液体収容室と、液体収容室に連通し、液体を収容する第１空間と、液体消費装置が備える圧力調整ポンプに接続され、可撓性部材から形成される第２空間と、を備え、前記第２空間の容積が前記圧力調整ポンプにより増大すると、第１空間内の液体は液体収容室へ流出することを特徴とする。
【手続補正４】
【補正対象書類名】明細書
【補正対象項目名】００１１
【補正方法】変更
【補正の内容】
【００１１】
従来は、非印字状態が長時間続くと、顔料および分散媒の比重差により顔料
が沈降し、液体の濃度差が液体収容溶室内で発生してしまっていたが、本発明
の上記構成によれば、液体収容室に連通する第１空間の容積を変化させるよう
に変形可能な第２空間を備えているので、液体を撹拌することが可能である。
つまり、第２空間内の圧力が圧力調整ポンプによって調整されることで変形す
ることにより、筐体の内側において液体を直接撹拌することが可能となってい
る。このため、液体収容室の隅部まで液体を満遍なく撹拌することができ、顔
料濃度分布に偏りのない均一な顔料濃度の状態で液体を貯留することができ
る。
【手続補正５】
【補正対象書類名】明細書
【補正対象項目名】００１２
【補正方法】変更
【補正の内容】
【００１２】
また、液体収容容器は、複数の第２空間を備える、構成としてもよい。
【手続補正６】
【補正対象書類名】明細書
【補正対象項目名】００１３
【補正方法】変更
【補正の内容】
【００１３】
これによれば、液体収容室に滞留している液体を効率よく撹拌させることが
可能である。
【手続補正７】
【補正対象書類名】明細書
【補正対象項目名】００１４
【補正方法】変更
【補正の内容】
【００１４】
また、液体収容容器は、複数の壁部から形成され、複数の壁部のうち一の
壁部側に複数の第２空間を備える、構成としてもよい。
【手続補正８】
【補正対象書類名】明細書
【補正対象項目名】００１５
【補正方法】変更
【補正の内容】
【００１５】
これによれば、液体収容室に滞留している液体を効率よく撹拌させることが
可能である。
【手続補正９】
【補正対象書類名】明細書
【補正対象項目名】００１６
【補正方法】変更
【補正の内容】
【００１６】
また、液体収容室と第１空間は接続口を介して連通し、接続口は液体収容容
器の底部側に形成されている、構成としてもよい。
【手続補正１０】
【補正対象書類名】明細書
【補正対象項目名】００１７
【補正方法】変更
【補正の内容】
【００１７】
これによれば、液体収容室の底部に沈降した顔料を巻き上げることで効率よ
く撹拌することができる。
【手続補正１１】
【補正対象書類名】明細書
【補正対象項目名】００１８
【補正方法】変更
【補正の内容】
【００１８】
また、液体収容室と前記第１空間は複数の接続口を介して連通する、構成と
してもよい。
【手続補正１２】
【補正対象書類名】明細書
【補正対象項目名】００１９
【補正方法】変更
【補正の内容】
【００１９】
これによれば、液体収容室の液体を効率よく撹拌することができる。
【手続補正１３】
【補正対象書類名】明細書
【補正対象項目名】００２０
【補正方法】変更
【補正の内容】
【００２０】
また、液体消費装置は、液体を噴射するヘッドと、ヘッドへ前記液体を供給
するサブタンクと、を備え、液体収容容器は前記サブタンクに接続される、構
成としてもよい。
【手続補正１４】
【補正対象書類名】明細書
【補正対象項目名】００２１
【補正方法】変更
【補正の内容】
【００２１】
従来は、非印字状態が長時間続くと、顔料および分散媒の比重差により顔料
が沈降し、液体の濃度差が液体収容溶室内で発生してしまっていたが、この構
成によれば、液体収容室に連通する第１空間の容積を変化させるように第２空
間内の圧力が圧力調整ポンプによって調整されることで変形することにより、
液体を直接撹拌することが可能となっている。このため、液体収容室の隅部ま
で液体を満遍なく撹拌することができ、顔料濃度分布に偏りのない均一な顔料
濃度の液体を液体噴射ヘッドへと供給することができる。これにより、印字品
質の向上および安定化を図ることができる。
【手続補正１５】
【補正対象書類名】明細書
【補正対象項目名】００２２
【補正方法】変更
【補正の内容】
【００２２】
また、液体収容室には撹拌部材が移動可能に支持されており、液体収容室と
前記第１空間は接続口を介して連通しており、撹拌部材は、接続口に対向しない位置に配置されている、構成としてもよい。
【手続補正１６】
【補正対象書類名】明細書
【補正対象項目名】００２３
【補正方法】変更
【補正の内容】
【００２３】
これによれば、接続口から排出される液体の流動を撹拌部材が妨げてしまう
ことを防止できる。
【手続補正１７】
【補正対象書類名】明細書
【補正対象項目名】００２４
【補正方法】変更
【補正の内容】
【００２４】
また、複数の接続口は一対の接続口であり、一の接続口には、液体収容室か
ら第１空間への液体の流入のみを許容する弁が設けられており、他の接続口に
は、第１空間から液体収容室への液体の流入のみを許容する弁が設けられてい
る、構成としてもよい。
【手続補正１８】
【補正対象書類名】明細書
【補正対象項目名】００２５
【補正方法】変更
【補正の内容】
【００２５】
これによれば、液体の流動方向が規定されて、接続口から排出される液体の
流速が速くなり、撹拌効率が向上する。
【手続補正１９】
【補正対象書類名】明細書
【補正対象項目名】００２６
【補正方法】変更
【補正の内容】
【００２６】
また、第１空間を形成する壁部は液体収容室の底壁部に対して傾斜している、
構成としてもよい。
これによれば、液体収容室内へ排出される液体の流速が加速することが
できる。